(57)【特許請求の範囲】
【請求項１】
各粗動ハンドルが両端に取り付けられた粗動連結軸と、
この粗動連結軸と同軸上に回転自在に設けられた微動連結軸と、
前記粗動連結軸の回転に応じてステージを上下方向に移動させ、かつ前記微動連結軸の回転を減速し、前記粗動連結軸を回転させたときの移動量よりも少ない移動量で前記ステージを上下方向に移動させる移動機構と、
前記粗動連結軸の軸方向で前記粗動ハンドルの端面部に設けられ、前記各粗動ハンドルの外径よりも小さい外径を有し、かつ前記微動連結軸の両端部に設けられる連結部材と、
前記微動連結軸の両端部及び前記粗動ハンドルの端面部よりも外側に設けられ、前記微動連結軸の軸方向に長さの異なる複数の微動ハンドルと、
を備え、
前記複数の微動ハンドルのうちいずれか１つが前記連結部材に対して着脱自在である、
ことを特徴とする焦準装置の粗微動駆動装置。
【請求項２】
前記微動ハンドルは、前記微動連結軸の両端部に設けられる前記連結部材のうちいずれか一方に対して取り付け変更可能であることを特徴とする請求項１記載の焦準装置の粗微動駆動装置。
【請求項３】
前記連結部材は、前記微動ハンドルを保持するための固定部を有することを特徴とする請求項１記載の焦準装置の粗微動駆動装置。
【請求項４】
前記固定部は、前記微動連結軸の軸方向に沿った嵌合部を有し、
前記微動ハンドルは、前記嵌合部に嵌合されることを特徴とする請求項３記載の焦準装置の粗微動駆動装置。
【請求項５】
前記連結部材の外周上及び前記微動ハンドルの円周上表面のうち少なくとも一方に、目盛もしくは前記目盛を指示する指標のいずれかが付されていることを特徴とする請求項１記載の焦準装置の粗微動駆動装置。
【請求項６】
各粗動ハンドルが両端に取り付けられた粗動連結軸と、
この粗動連結軸と同軸上に回転自在に設けられた微動連結軸と、
前記粗動連結軸の回転に応じてステージを上下方向に移動させ、かつ前記微動連結軸の回転を減速し、前記粗動連結軸を回転させたときの移動量よりも少ない移動量で前記ステージを上下方向に移動させる移動機構と、
前記粗動連結軸の軸方向で前記粗動ハンドルの端面部に設けられ、前記各粗動ハンドルの外径よりも小さい外径を有し、かつ前記微動連結軸の両端部に設けられる連結部材と、
前記微動連結軸の軸方向で、前記微動連結軸の前記両端部及び前記粗動ハンドルの端面部よりも外側に設けられ、前記連結部材に対して着脱自在な焦準操作用の微動ハンドルと、
を具備したことを特徴とする焦準装置の粗微動駆動装置。
【請求項７】
前記微動ハンドルは、前記微動連結軸の両端部に設けられる前記連結部材のうちいずれか一方に対して取り付け変更可能であることを特徴とする請求項６記載の焦準装置の粗微動駆動装置。
【請求項８】
前記連結部材は、前記微動ハンドルを保持するための固定部を有することを特徴とする請求項６記載の焦準装置の粗微動駆動装置。
【請求項９】
前記固定部は、前記微動連結軸の軸方向に沿った嵌合部を有し、
前記微動ハンドルは、前記嵌合部に嵌合されることを特徴とする請求項８記載の焦準装置の粗微動駆動装置。
【請求項１０】
前記連結部材の外周上及び前記微動ハンドルの円周上表面のうち少なくとも一方に、目盛もしくは前記目盛を指示する指標のいずれかが付されていることを特徴とする請求項６記載の焦準装置の粗微動駆動装置。
【発明の詳細な説明】
【０００１】
【発明の属する技術分野】
本発明は、例えば顕微鏡の標本に対する焦点合わせを行うために粗微動の各ハンドルを操作することによってステージを上下方向に粗微動させる焦準装置の粗微動駆動装置に関する。
【０００２】
【従来の技術】
図８(a)(b)は特開平１０−２６７３０号公報に記載された顕微鏡の概要図であり、同図(a)は平面図、同図(b)は左側面図である。顕微鏡本体１の上部には、レボルバ２が回転自在に設けられ、このレボルバ２に対物レンズ３が取り付けられている。この対物レンズ３の光軸上には、鏡筒４及び接眼レンズ５が設けられている。
【０００３】
又、顕微鏡本体１には、ステージ受け６が上下方向に移動自在に設けられ、このステージ受け６の上に試料７を載置するためのステージ８が設けられている。顕微鏡本体１の下部には、左側の焦準ハンドル９、右側の焦準ハンドル１０及びステージハンドル１１が設けられている。このうち左側の焦準ハンドル９は、右側の焦準ハンドル１０と同じように突き出しにすると、ステージハンドル１１と干渉するので、顕微鏡本体１の内部へめり込ませてある。
【０００４】
このような顕微鏡であれば、右側の焦準ハンドル１０又は左側の焦準ハンドル９を回転操作することによってステージ受け６及びステージ８を上下方向へ移動させ、試料７に対してフォーカスを合わすものとなる。
【０００５】
そして、左側の焦準ハンドル９を顕微鏡本体１の内部へめり込ませてあるので、焦準ハンドル１０とステージハンドル１１とは左右対称の位置に配置されて操作性がよくなる。実際には、左側の焦準ハンドル９は使用することが少ないので、右側の焦準ハンドル１０のみの操作となることが多い。
【０００６】
図９は特開平３−１１１８０５号公報に記載されている顕微鏡の焦準装置の構成図である。顕微鏡本体２０の貫通部には、固定ネジ２１、２２により固定筒２３が固定されている。この固定筒２３の中空部には、伝動軸２４、粗動連結軸２５及び微動連結軸２６が回転自在に順次嵌合している。粗動連結軸２５の両端には、それぞれ粗動環２７が設けられ、これら粗動環２７に各粗動ハンドル２８がネジ止めされている。又、微動連結軸２６の両端には、それぞれ微動環２９が設けられ、これら微動環２９に各微動ハンドル３０がネジ止めされている。
【０００７】
図１０は上記焦準装置において例えば左側の粗動ハンドル２８及び微動ハンドル３０を取り外して蓋３１を取り付けて覆い隠した状態を示している。なお、右側の粗動ハンドル２８及び微動ハンドル３０も同様に取り外して蓋を取り付けて覆い隠すことができる。又、図示していないが粗動ハンドル２８及び微動ハンドル３０と試料を載置するステージのハンドルとは近接した位置関係にあり、両者のハンドルの操作性を確保しようとすると、これらハンドルはかなり接近し、両者のハンドルが共に操作しにくくなる。ステージハンドルは、粗動ハンドル２８及び微動ハンドル３０に対して上下方向に位置しており、通常は左右いずれか片側に配置されている。
【０００８】
【発明が解決しようとする課題】
図８に示す顕微鏡では、ステージハンドル１１が左側に設けられているが、このステージハンドル１１をユーザによって観察の操作の面から右側に設けることが必要なこともある。このようにステージハンドル１１を右側に設ける構成にする場合、顕微鏡本体１及び焦準ハンドル１０は、ステージハンドル１１を左側に設けた場合と共用して使用することが不可能である。まして、ユーザがその都度、好みに合わせてステージハンドル１１を左側又は右側に変更することはできない。
【０００９】
このため、メーカ側では、ステージハンドル１１の左側又は右側専用の同じような顕微鏡本体１と焦準ハンドル１０とが２つ必要になり、構成上及ぴ製作上において複雑かつ煩雑な作業となる。一方、ユーザ側では、始めからステージハンドル１１が左側又は右側かのいずれか一方の顕微鏡に決める必要があり、この選択に煩雑さが伴う。さらに、顕微鏡を購入して後に、ステージハンドル１１を左側又は右側に変更することはかなりの労力を要する。
【００１０】
一方、図９及び図１０に示す焦準装置では、粗動ハンドル２８及び微動ハンドル３０を脱着するときに、接着を剥がしたりしなければならず、ユーザには粗動ハンドル２８及び微動ハンドル３０を脱着する改造ができない。又、左右両側の粗動ハンドル２８及び微動ハンドル３０を無くしてしまうと、全く操作ができない。
【００１１】
そこで本発明は、ユーザにより簡単な作業で微動ハンドルを着脱でき、かつステージの操作に必要なスペースや微動ハンドル周りのスペースを確保できる焦準装置の粗微動駆動装置を提供することを目的とする。
【００１２】
【課題を解決するための手段】
請求項１記載の本発明は、各粗動ハンドルが両端に取り付けられた粗動連結軸と、この粗動連結軸と同軸上に回転自在に設けられた微動連結軸と、粗動連結軸の回転に応じてステージを上下方向に移動させ、かつ微動連結軸の回転を減速し、粗動連結軸を回転させたときの移動量よりも少ない移動量でステージを上下方向に移動させる移動機構と、粗動連結軸の軸方向で粗動ハンドルの端面部に設けられ、各粗動ハンドルの外径よりも小さい外径を有し、かつ微動連結軸の両端部に設けられる連結部材と、微動連結軸の両端部及び粗動ハンドルの端面部よりも外側に設けられ、微動連結軸の軸方向に長さの異なる複数の微動ハンドルとを備え、複数の微動ハンドルのうちいずれか１つが連結部材に対して着脱自在である焦準装置の粗微動駆動装置である。
【００１３】
請求項２記載の本発明は、請求項１記載の焦準装置の粗微動駆動装置において、微動ハンドルは、微動連結軸の両端部に設けられる連結部材のうちいずれか一方に対して取り付け変更可能である。
請求項３記載の本発明は、請求項１記載の焦準装置の粗微動駆動装置において、連結部材は、微動ハンドルを保持するための固定部を有する。
請求項４記載の本発明は、請求項３記載の焦準装置の粗微動駆動装置において、固定部は、微動連結軸の軸方向に沿った嵌合部を有し、微動ハンドルは、嵌合部に嵌合される。
請求項５記載の本発明は、請求項１記載の焦準装置の粗微動駆動装置において、連結部材の外周上及び微動ハンドルの円周上表面のうち少なくとも一方に、目盛もしくは目盛を指示する指標のいずれかが付されている。
【００１４】
請求項６記載の本発明は、各粗動ハンドルが両端に取り付けられた粗動連結軸と、この粗動連結軸と同軸上に回転自在に設けられた微動連結軸と、粗動連結軸の回転に応じてステージを上下方向に移動させ、かつ微動連結軸の回転を減速し、粗動連結軸を回転させたときの移動量よりも少ない移動量でステージを上下方向に移動させる移動機構と、粗動連結軸の軸方向で粗動ハンドルの端面部に設けられ、各粗動ハンドルの外径よりも小さい外径を有し、かつ微動連結軸の両端部に設けられる連結部材と、微動連結軸の軸方向で、微動連結軸の両端部及び粗動ハンドルの端面部よりも外側に設けられ、連結部材に対して着脱自在な焦準操作用の微動ハンドルとを具備した焦準装置の粗微動駆動装置である。
請求項７記載の本発明は、請求項６記載の焦準装置の粗微動駆動装置において、微動ハンドルは、微動連結軸の両端部に設けられる連結部材のうちいずれか一方に対して取り付け変更可能である。
請求項８記載の本発明は、請求項６記載の焦準装置の粗微動駆動装置において、連結部材は、微動ハンドルを保持するための固定部を有する。
請求項９記載の本発明は、請求項８記載の焦準装置の粗微動駆動装置において、固定部は、微動連結軸の軸方向に沿った嵌合部を有し、微動ハンドルは、嵌合部に嵌合される。
請求項１０記載の本発明は、請求項６記載の焦準装置の粗微動駆動装置において、連結部材の外周上及び微動ハンドルの円周上表面のうち少なくとも一方に、目盛もしくは目盛を指示する指標のいずれかが付されている。
【００１５】
【発明の実施の形態】
(1) 以下、本発明の第１の実施の形態について図面を参照して説明する。
【００１６】
図１は本発明の焦準装置の粗微動駆動装置を用いた顕微鏡の全体構成図であり、図２は同顕微鏡の側面から見た構成図である。顕微鏡本体４０の上部には、レボルバ４１が回転自在に設けられている。このレボルバ４１には、複数の対物レンズ４２が取り付けられている。このレボルバ４１は、回転することで複数の対物レンズ４２のうち所望の対物レンズ４２を観察光路上に選択配置するものとなっている。この対物レンズ４２の光路上には、観察光路を形成する鏡筒４３及び接眼レンズ４４が設けられている。
【００１７】
又、顕微鏡本体４０には、ステージ受け４５がガイドに支持されて上下方向に移動自在に設けられている。このステージ受け４５の上には、試料を載置するためのステージ４６が固定されている。
【００１８】
この顕微鏡には、焦準ハンドルとしての左微動ハンドル４７、左粗動ハンドル４８、右粗動ハンドル４９及び右微動環５０、さらには後述する左微動環８８が顕微鏡本体４０に対して回転自在に設けられている。これら左微動ハンドル４７、左粗動ハンドル４８、右粗動ハンドル４９、右微動環５０及び左微動環８８は、それぞれ回転操作によりステージ４６を上下方向に移動させるものである。又、図１に示すように顕微鏡本体１の右側には、ステージ４６を平面方向に移動させるためのステージ操作ハンドル５１が設けられている。
【００１９】
図３は図１に示す焦準ハンドル部のＡ−Ａ断面構成図である。顕微鏡本体４０には、ワイヤ６０及びローラ６１を介して移動ガイド６２が上下方向に移動可能に支持され、この移動ガイド６２にステージ受け４５が取り付けられている。ラック６３は、図示しないネジ等で移動ガイド６２に固定されている。このラック６３とピニオン軸６４のピニオンギヤ６４ａとは、顕微鏡本体４０に支持された中間ギヤ６５ａ、６５ｂにより連結されている。
【００２０】
中空の焦準ハンドル本体軸６７は、顕微鏡本体４０に対してネジ等により固定されている。この焦準ハンドル本体軸６７の中空部には、両側を鋼球６８により挟持し、一体化されたピニオン軸６４とギヤ６６とが挿入され、止めネジ６９により抜け止めされている。ピニオン軸６４は、ギヤ６６と一体化されて焦準ハンドル本体軸６７に回転自在に支持されている。
【００２１】
ピニオン軸６４は、中空部が形成され、その内部に粗動連結軸７０が挿入されている。粗動連結軸７０の両端にはそれぞれ左粗動ハンドル４８、右粗動ハンドル４９が設けられている。この粗動連結軸７０は、遊星ギヤ本体７１と一体化されている。遊星ギヤ本体７１は、焦準ハンドル本体軸６７の右端に回転自由に嵌合支持されている。
【００２２】
焦準ハンドルの右側を説明する。右粗動ハンドル４９は、遊星ギヤ本体７１に対してネジ等により一体化されている。ギヤ７２、ギヤ７３、ギヤ７４は、それぞれ遊星ギヤ本体７１に嵌合支持され、かつ遊星ギヤ本体７１と押さえ板７５とに挟まれて支持されている。
【００２３】
微動連結軸７６は、粗動連結軸７０の中空部に回転自在に設けられている。従って、粗動連結軸７０と微動連結軸７６とは、同軸で回転するものとなっている。この微動連結軸７６は、その右端に右側の微動ハンドル４７を着脱自在にする固定手段としての右微動環５０が一体的に設けられている。微動ギヤ７７は、右微動環５０に対して一体化されている。
【００２４】
この右微動環５０は、右粗動ハンドル４９の外側で、かつ右粗動ハンドル４９の径よりも小さい径に形成されている。この右微動環５０には、中心軸付近に嵌合凸部５０ａが設けられている。
【００２５】
又、右微動環５０には、右側の微動ハンドル４７を脱着するためのネジ部が設けられている。右側の微動ハンドル４７は、左微動ハンドル４７と同一構成であり、これら微動ハンドル４７は左右共用となっている。図４は右側の微動ハンドル４７を示す構成図である。
【００２６】
右側の微動ハンドル４７を脱着するための受け手である右微動環５０のネジ部には、座ぐり形状の座ぐり穴５０ａが形成されている。この右側の微動ハンドル４７自体のネジ部には、円筒状のインサートネジ５０ｂが圧入固定され、このインサートネジ５０ｂの突出部が右微動環５０の座ぐり穴５０ａに嵌まり込むことにより、位置合わせが容易になっている。又、ネジ部の座ぐり形状は、右微動環５０を直接回転させるための引っかけ窪みとしての機能がある。なお、右側の微動ハンドル４７は、右微動環５０に対して取付けネジ７８により取り付けられる。
【００２７】
焦準ハンドル本体軸６７の右端側には、回転止めネジ７９が固定され、この回転止めネジ７９の頭が入る軸方向に長い長溝が内径部に形成された滑り板８０が焦準ハンドル本体軸６７の外周に挿入されている。滑り板８０は、回転止めネジ７９の機能により焦準ハンドル本体軸６７と回転方向に一体化され、かつ軸方向に移動自在に支持されている。
【００２８】
粗動重さ調整環８１は、焦準ハンドル本体軸６７の右側外周に形成されたネジに螺合され、回転させると軸方向に移動するものとなっている。粗動重さ調整環８１と滑り板８０の間にバネ８２が配置されている。遊星ギヤ本体７１には、バネ８２の作用により滑り板８０が常に押し付けられている。従って、粗動重さ調整環８１を回転させてその押し付け力を変化させることで、遊星ギヤ本体７１すなわち右粗動ハンドル４９の回転トルクを調整するものとなっている。
【００２９】
焦準ハンドルの左側を説明する。ネジ軸８３は、顕微鏡本体４０に一体化されている。回転体８４は、１箇所に突起が形成され、ネジ軸８３に対して嵌合支持されている。
【００３０】
粗動軸８５には、回転体８４の突起８４ａと同周の位置に１箇所の突起が形成され、バネ９０の作用で、回転体８４とこの回転体８４の突起８４ａとは、接触した状態で粗動連結軸７０に対して一体化され、かつ焦準ハンドル本体軸６７の左端に嵌合支持されている。
【００３１】
左粗動ハンドル４８は、粗動軸８５に一体化されている。スペーサ８６、板バネ８７は、左側の微動ハンドル４７を着脱自在にする固定手段としての左微動環８８と粗動軸８５との間に挿入されている。左微動環８８とスペーサ８６との間に位置している板バネ８７は、左右の微動環５０、８８の回転負荷トルクを生じさせ、重力による自然回転を防止している。
【００３２】
左微動環８８は、右微動環５０と同様に左粗動ハンドル４８の外側で、かつ左粗動ハンドル４８の径より小さく形成されている。
【００３３】
粗動ストッパハンドル８９は、ネジ軸８３の最大外径部に形成されたネジに螺合している。回転体８４の突起８４ａは、バネ９０の作用により粗動軸８５の突起に押し付けられ、粗動ストッパハンドル８９がアウト（ＯＵＴ：ネジ軸８３に対して緩める）のときに、粗動ハンドル４８と同期して回転するものである。この粗動ハンドル４８は、上記の如く回転体８４の突起８４ａがバネ９０の作用により粗動軸８５の突起に押し付けられているので、ステージ４６を下方に移動させる方向に対して１回転弱回転可能である。又、粗動ストッパハンドル８９をオン（ＯＮ：ネジ軸８３に対して締め込む）にすると、回転体８４は、粗動ストッパハンドル８９とネジ軸８３で挟まれ固定される。これに伴って粗動ハンドル４８は、ステージ４６を上方に移動させる方向に回転できなくなるものとなっている。
【００３４】
次に上記の如く構成された装置の作用について説明する。
【００３５】
通常、観察を行う場合、試料７をステージ４６上に載せ、ステージ操作ハンドル５１を回転させてステージ４６を移動し、試料７を対物レンズ４２の下方に位置させる。
【００３６】
左微動ハンドル４７を回転させると、この回転が遊星ギヤ７７、７４、７３、７２、ギヤ６６、ピニオンギヤ６４ａ、中間ギヤ６５ａ、６５ｂ、ラック６３の順に伝達され、左微動ハンドル４７の回転速度が減速される。これにより、左微動ハンドル４７の一回転当たりの移動量が小さくなってステージ４６が上下方向に移動（微動）する。
【００３７】
左又は右粗動ハンドル４８、４９を回転させると、この回転が直接ピニオン軸６４に伝達され、遊星ギヤ本体７１で減速されずに、微動に比較して減速されない分、一回転当たりの移動量が大きくなってステージ４６が上下方向に移動するる（粗動）。
【００３８】
接眼レンズ４４を覗きながら粗動ストッパハンドル８９をアウト（ＯＵＴ）状態にして、左微動ハンドル４７、左又は右粗動ハンドル４８、４９を回転させ、試料７に対してピントを合わせる。
【００３９】
図１に示す場合、右側にステージ操作ハンドル５１が位置しているので、右微動ハンドル４７は取り付けていない。この右微動ハンドル４７を取り付けると、ステージ操作ハンドル５１と右微動ハンドル４７とが近接し、双方共に操作性が悪くなる。ステージ操作ハンドル５１は、図１に示すように前後方向のみ移動するので、例えば右手によるステージ操作ハンドル５１と右微動環５０との操作が可能である。
【００４０】
この右微動環５０の側面には、窪みがあるので、この窪みに例えば指先を押しながら回転させれば、右微動ハンドル４７を回転させたときと同様に微動の操作ができる。なお、左微動環８８を回転させても同様に微動の操作ができる。
【００４１】
又、ステージ操作ハンドル５１が正面から見て左側に配置されている場合には、左側の微動ハンドル４７を取り外し、右微動環５０に取り付け変更することで、ユーザにより簡単に変更作業ができる。この作業は、顕微鏡付属の標準工具を用い、左微動ハンドル４７を取付けネジ７８を緩めて取り外し、この微動ハンドル４７を右微動環５０の取付けネジ７８の位置に合わせて嵌合し、ガイドに押し込んで、再び取付けネジ７８を標準工具で締め付けることで完了となる。
【００４２】
又、左右の微動ハンドル４７を取り外すことで、焦準ハンドル付近のスペースを広げることができる。顕微鏡の外からのアクセス、例えばマニピユレータの架台等を試料７に近づけることができ、振動面で有利である。
【００４３】
一般に、顕微鏡の場合、オートフォーカスユニット（微動軸をモータで回転させ、自動でピント合わせを行う）、フロントオペレーション（顕微鏡の奥へ手を差し伸べたくないときに微動ハンドル、粗動ハンドルを手前に配置したもの）のために焦準部に外付ユニットを装着するケースがある。通常はメーカ側で改造を施し供給するか、サービス部門がユーザの所へ出向き改造を施すというのが一般的であるが、本発明の装置では、左右の微動環５０、８８の状態で軸位置決め用の嵌合凸部と固定用のネジを有しているので、上記外付ユニットを嵌合＋ネジ取付けタイプで製作すれば、容易にユーザによる着脱が可能となる。
【００４４】
このように上記第１の実施の形態によれば、微動連結軸７６の両端に設けられ、粗動連結軸７０の軸方向に各粗動ハンドル４８、４９よりもそれぞれ外側に配置され、かつ各粗動ハンドル４８、４９の外径よりも小さい外径に形成された左右の微動環５０、８８と、これら左右の微動環５０、８８に対して着脱自在で、これら左右の微動環５０、８８のいずれか一方又は両方に対して取り付けられる微動ハンドル４７とを備えたので、左右の微動ハンドル４７の周りのスペースを拡大でき、かつこれら微動ハンドル４７の脱着が簡単にできる。又、微動ハンドル４７を取り付けなくても回転操作できる。外付ユニットの取付けが容易にできる。
【００４５】
なお、上記第１の実施の形態は、次の通り変形してもよい。左右の微動環５０、８８の嵌合は軸位置決めができればどのような手段でも構わなく、例えば穴が３ケ所にあっても、又嵌合が４角形状でもよい。さらに、穴ではなく軸形状でも構わない。
【００４６】
左右の微動環５０、８８の回転操作用の窪みは指の先で回転し易ければよく、形にはこだわらない。スペースが許されれば凸形状でも構わない。
【００４７】
微動ハンドル固定用のネジは、着脱が簡単にできればよく、パッチン止めでも構わない。
【００４８】
微動ハンドル４７の形状は、回転し易ければよく、どんな形状でもよい、材質も樹脂でインサート、金物でハンドル部はゴム塗装等、どんなものでもよい。
【００４９】
(2) 次に、本発明の第２の実施の形態について図面を参照して説明する。
【００５０】
図５は本発明の焦準装置の粗微動駆動装置に用いる微動ハンドルの構成図である。長微動ハンドル１００は、取付けネジ７８により右微動環５０に対して脱着自在となっている。この長微動ハンドル１００は、図４に示す微動ハンドル４７の長さよりも所定の長さだけ長く形成されている。
【００５１】
図１に示す顕微鏡の構成で、ステージ受け４５、ステージ４６が試料７の脱着操作性を向上させるために粗動ハンドル４８又は４９、微動ハンドル４７の直ぐ上方に配置される場合がある。試料７は、低い位置にあると手が疲れない。この場合、図４に示す微動ハンドル４７では短すぎて、回転させようとしても指がステージ受け４５等と干渉してしまい、操作性が悪くなる。
【００５２】
これに対して、図５に示す長微動ハンドル１００を取り付ければ、この長微動ハンドル１００の操作部をステージ受け４５等から外に出すために長くしてあるので、良好な操作性が得られる。上記の様なステージ４６が低いタイブの顕微鏡には、使い勝手の良い長微動ハンドル１００が１つ付属する構成になる。微動ハンドルが短いと間違いなく操作性は悪くなるので、この組合わせはユーザでは選択できない。
【００５３】
このように上記第２の実施の形態においては、長微動ハンドル１００を取付けネジ７８により右微動環５０に対して脱着自在としたので、上記第１の実施の形態の効果に加えて、障害物を避けて微動ハンドル１００の操作性を確保できる。
【００５４】
(3) 次に、本発明の第３の実施の形態について図面を参照して説明する。
【００５５】
図６(a)(b)は本発明の焦準装置の粗微動駆動装置に用いる微動ハンドルの構成図であって、同図(a)は側面図、同図(b)は微動ハンドルを軸方向から見た図である。右粗動ハンドル４９における右微動環５０との境界のＳ面には、各線表示１０１が記されている。この線表示１０１は、例えば９０度間隔で４箇所に記されている。
【００５６】
又、右微動環５０の斜面には、線表示１０２が記されている。この線表示１０２と共に記されている数字は、移動量（μｍ）を表わしている。
【００５７】
このように各線表示１０２を右微動環５０に記載すれば、例えば微動ハンドル４９が無くても表示を読むことが可能である。通常表示を読むときは、ステージ４６を移動させる前の数値を控えてから移動後の数値を引けば移動量が算出できる。
【００５８】
このように上記第３の実施の形態によれば、視線を大きく振らないで顕微鏡の正面から微動目盛り表示を読むことができる。
【００５９】
なお、線表示は、右粗動ハンドル４９における右微動環５０に限らず、左粗動ハンドル４８における左微動環８８に記してもよい。
【００６０】
(4) 次に、本発明の第４の実施の形態について図面を参照して説明する。
【００６１】
図７(a)(b)は本発明の焦準装置の粗微動駆動装置に用いる微動ハンドルの構成図であって、同図(a)は側面図、同図(b)は微動ハンドルを軸方向から見た図である。
【００６２】
微動ハンドル１０３は、その円周面が外径を大きくした段差１０４に形成されている。この段差１０４上には、線表示１０５が記されている。この線表示１０５は、ステージ４６の移動量を表わすためのものである。
【００６３】
又、右粗動ハンドル４９における右微動環５０との境界である円周上には、各線表示１０６が記されている。これら線表示１０６は、例えば９０度間隔で４箇所に記されている。
【００６４】
このように上記第３の実施の形態によれば、図１に示すような通常の顕微鏡構成において首を斜め横に傾ける必要がなく、視線をちょっと下方に落とせば表示を読むことができる。又、図５に示す長微動ハンドル１００を用いた場合、すなわち焦準ハンドルの直ぐ上部までステージ等で覆われて、側面より微動目盛りが見にくい場合でも、顕微鏡正面より線表示１０５を見ることができ、視認性がよい。
【００６５】
なお、線表示は、右粗動ハンドル４９における右微動環５０に限らず、左粗動ハンドル４８における左微動環８８に記してもよい。
【００６６】
【発明の効果】
以上詳記したように本発明によれば、ユーザにより簡単な作業で微動ハンドルを着脱でき、かつステージの操作に必要なスペースや微動ハンドル回りのスペースを確保できる焦準装置の粗微動駆動装置を提供できる。
【図面の簡単な説明】
【図１】本発明に係わる焦準装置の粗微動駆動装置の第１の実施の形態を用いた顕微鏡の全体構成図。
【図２】本発明に係わる焦準装置の粗微動駆動装置の第１の実施の形態における顕微鏡を側面から見た構成図。
【図３】本発明に係わる焦準装置の粗微動駆動装置の第１の実施の形態における焦準ハンドル部の断面構成図。
【図４】本発明に係わる焦準装置の粗微動駆動装置の第１の実施の形態における右側の微動ハンドルを示す構成図。
【図５】本発明に係わる焦準装置の粗微動駆動装置の第２の実施の形態における微動ハンドルの構成図。
【図６】本発明に係わる焦準装置の粗微動駆動装置の第３の実施の形態における微動ハンドルの構成図。
【図７】本発明に係わる焦準装置の粗微動駆動装置の第４の実施の形態における微動ハンドルの構成図。
【図８】従来の顕微鏡の概要図。
【図９】従来の顕微鏡の焦準装置の構成図。
【図１０】同装置の左側の粗動ハンドル及び微動ハンドルを取り外して蓋を取り付けて覆い隠した状態を示す図。
【符号の説明】
４０：顕微鏡本体
４１：レボルバ
４２：対物レンズ
４３：鏡筒
４４：接眼レンズ
４５：ステージ受け
４６：ステージ
４７：左微動ハンドル
４８：左粗動ハンドル
４９：右粗動ハンドル
５０：右連結部材
５０ａ：座ぐり穴
５０ｂ：インサートネジ
５１：ステージ操作ハンドル
６０：ワイヤ
６１：ローラ
６２：移動ガイド
６３：ラック
６４：ピニオン軸
６５：中間ギヤ
６６：ギヤ
６７：焦準ハンドル本体軸
６８：鋼球
６９：止めネジ
７０：粗動連結軸
７１：遊星ギヤ本体
７２，７３，７４：ギヤ
７５：押さえ板
７６：微動連結軸
７７：微動ギヤ
７８：取付けネジ
７９：回転止めネジ
８０：滑り板
８１：粗動重さ調整環
８２：バネ
８３：ネジ軸
８４：回転体
８５：粗動軸
８６：スペーサ
８７：板バネ
８８：左連結部材
８９：粗動ストッパハンドル
９０：バネ
９１：止めネジ
１００：長微動ハンドル
１０１，１０２：線表示
１０３：微動ハンドル
１０４：段差
１０５，１０６：線表示
【図１】
0003884202.tif 000002
【図２】
0003884202.tif 000003
【図３】
0003884202.tif 000004
【図４】
0003884202.tif 000005
【図５】
0003884202.tif 000006
【図６】
0003884202.tif 000007
【図７】
0003884202.tif 000008
【図８】
0003884202.tif 000009
【図９】
0003884202.tif 000010
【図１０】
0003884202.tif 000011